(57)【要約】【課題】  ネットワークサーバへのデータ蓄積を行うデジタルカメラ機器等においては、ネットワークが接続できない場合に、サーバ装置のデータが参照できず、撮影データの確認が困難であった。【解決手段】  ネットワークサーバへのデータ蓄積を行うデジタルカメラ機器等において、ネットワークが接続できない場合においても、良好はユーザインターフェースを提供するサーバ蓄積型デジタルカメラシステム【選択図】図１
2010187247.tif 000002
【特許請求の範囲】
【請求項１】
複数の画像データを蓄積する蓄積用メモリと、
前記画像データをサーバ装置に送信する通信ユニットと、
前記画像データを管理する管理データベースとを備え、
前記管理データベースは、前記画像データと類似した画像に関する情報、及び、前記画像データのサーバ装置上の蓄積位置を示す情報を管理情報として持つこと
を特徴とする画像処理装置。
【請求項２】
請求項１に記載の画像処理装置において、
画像データの表示ユニットを備え、
前記表示ユニットは、前記通信ユニットを介して、サーバ装置からを受信した前記画像データを表示し、
前記サーバ装置と接続が行えない場合に、前記管理データベースを検索し、前記画像データの類似画像を推定し、前記画像データに代えて、類似画像データを表示すること
を特徴とする画像処理装置。
【請求項３】
請求項１に記載の画像処理装置において、
画像データの表示ユニットを備え、
前記表示ユニットは、前記通信ユニットを介して、サーバ装置からを受信した前記画像データを表示し、
前記サーバ装置と接続が行えない場合に、前記管理データベースを検索し、前記画像データのサーバ装置上の蓄積位置を示す情報に対応したコードを表示すること
を特徴とする画像処理装置。
【請求項４】
請求項１に記載の画像処理装置において、
画像データの表示ユニットを備え、
前記表示ユニットは、前記画像データが蓄積用メモリに蓄積されていない場合に、前記画像データの類似画像を表示した後、前記通信ユニットを介して、サーバ装置からを受信した前記画像データを表示すること
を特徴とする画像処理装置。
【請求項５】
複数の画像データを蓄積する蓄積ユニットと、
前記画像データを解析する画像解析ユニットと、
前記画像解析ユニットの出力結果をデータベース化する類似画像データベースと、
前記画像データを画像処理装置から受信、及び、前記類似画像データベースの情報を送信する通信ユニットを備え、
画像処理装置から画像データを受信した際、前記画像データを蓄積ユニットに蓄積すると共に、前記画像データを前記画像解析ユニットで解析し、前記類似画像データベースを検索、更新すると共に、前記画像データと類似した画像に関する情報、及び、前記画像データのサーバ装置上の蓄積位置を示す情報を前記画像処理装置へ送信すること
を特徴とするサーバ装置。
【請求項６】
複数の画像データを蓄積し、
前記画像データをサーバ装置に送信し、
前記画像データを管理し、
前記画像データと類似した画像に関する情報、及び、前記画像データのサーバ装置上の蓄積位置を示す情報を管理情報として持つこと
を特徴とする画像処理方法。
【発明の詳細な説明】
【技術分野】
【０００１】
本技術は、通信端末装置と、ネットワークを介して接続されたサーバ装置間のデータの送受信動作制御に関するものであり、特に通信端末装置をデジタルカメラとした場合において、デジタルカメラから撮影データのサーバ装置への転送（以下、アップロード）およびサーバ装置からデジタルカメラへの転送（以下、ダウンロード）が効率的に行えるよう構成された通信端末装置およびサーバ装置に関するものである。
【背景技術】
【０００２】
近年、デジタルカメラの高性能化や、ネットワークの普及により、通信機能を持つデジタルカメラが開発されている。
【０００３】
今後、デジタルカメラの高解像度化やネットワーク化、ネットワークの無線化、広帯域化により、デジタルカメラの撮影データをサーバ装置に蓄積する無線通信端末装置およびサーバ装置が普及するものと思われる。
【先行技術文献】
【特許文献】
【０００４】
【特許文献１】特開２００４−３４３６２７号公報
【発明の概要】
【発明が解決しようとする課題】
【０００５】
一般に、無線通信機能を持つデジタルカメラと、ネットワークを介して接続されたサーバ装置間では、無線通信が場所や構造物の影響、移動速度などの影響により、常に安定しているとは限らない。
【０００６】
この為、現状の無線通信機能を持つデジタルカメラでは、デジタルカメラ内の蓄積用メモリを一次記憶として使い、ユーザが必要に応じて撮影データをサーバ装置にアップロードし、アップロードが終わった撮影データについては、デジタルカメラ内の蓄積用メモリから削除する事で、デジタルカメラ内の蓄積用メモリの空き保存容量を確保している。
【０００７】
ところが、上記の使用方法では、ネットワークを介してサーバ装置に接続できている場合には、全ての撮影データをダウンロード可能なので、全ての撮影データが参照可能だが、ネットワークが接続されていない状態では、デジタルカメラ内の蓄積用メモリの中にある撮影データしか参照する事ができず、撮影データの確認や、参照が全くできないという課題がある。
【課題を解決するための手段】
【０００８】
本技術による無線通信端末装置およびサーバ装置では、サーバ装置で無線通信端末装置からアップロードされた撮影データをストレージに蓄積すると共に、解析処理を行い、解析結果を無線通信端末装置にダウンロードし、無線通信端末装置内の予め準備した管理データベースを解析結果により更新する。
【発明の効果】
【０００９】
無線通信端末装置は、撮影データ用の管理データベースを構築する事で、ネットワークが接続されていない状態でも、管理データベースを参照する事により、解析結果を用いた画像表示が行えるようになる。
【００１０】
これにより、ユーザが撮影データの参照を行う際、撮影データの表示のための、無線通信端末装置およびサーバ装置のデータトラフィックを減らすと共に、ユーザの利便性を高めることができる。
【図面の簡単な説明】
【００１１】
【図１】実施例１を示す全体システム構成図の例である。
【図２】実施例１における第一の無線通信端末装置のブロック図の例である。
【図３】実施例１における撮影データのデータ構造図の例である。
【図４】実施例１におけるサーバ装置のブロック図の例である。
【図５】実施例１における無線通信端末装置での撮影時のフローチャートの例である。
【図６】実施例１における無線通信端末装置での管理データベースの例である。
【図７】実施例１における無線通信端末装置でのサムネール閲覧時のフローチャートの例である。
【図８】実施例１における無線通信端末装置での撮影画像データ閲覧時のフローチャートの例である。
【図９】実施例１における無線通信端末装置での閲覧時表示の例である。
【図１０】実施例２における無線通信端末装置での管理データベースの例である。
【図１１】実施例２における無線通信端末装置でのサムネール閲覧時のフローチャートの例である。
【図１２】実施例２における無線通信端末装置での撮影画像データ閲覧時のフローチャートの例である。
【図１３】実施例２における無線通信端末装置での閲覧時表示の例である。
【図１４】実施例３を示す全体システム構成図の例である。
【図１５】実施例３における無線通信端末装置でのサムネール閲覧時のフローチャートの例である。
【図１６】実施例３における無線通信端末装置での撮影画像データ閲覧時のフローチャートの例である。
【図１７】実施例３における無線通信端末装置での閲覧時表示の例である。
【図１８】実施例４における無線通信端末装置でのサムネール閲覧時のフローチャートの例である。
【図１９】実施例４における無線通信端末装置での撮影画像データ閲覧時のフローチャートの例である。
【図２０】実施例４における無線通信端末装置での閲覧時表示例の例である。
【図２１】実施例１〜４に無線通信端末装置での撮影データ削除の内部フローチャートの例である。
【図２２】実施例１〜４における無線通信端末装置での撮影データ削除による撮影データおよび管理データベースの例である。
【図２３】実施例１〜４におけるサーバ装置のフローチャートの例である。
【発明を実施するための形態】
【００１２】
以下、実施の形態を図面に基づいて詳細に説明する。
【実施例１】
【００１３】
まず、本実施例の概要について説明する。
図１は実施例の概要である。１００は、デジタルカメラの機能や無線通信機能を持つネットワークにアクセス可能な無線通信端末装置である。１０１は、無線通信機能やインターネット回線と通信を行う機能を有するアクセスポイントである。１０３は、インターネット回線と通信を行う機能や無線通信端末装置１００からの要求に従い、撮影データの蓄積（以下、「アップロード」という。）したり、無線通信端末装置１００からの要求に従い、撮影データを送信（以下、ダウンロードという。）したりするサーバ装置である。
【００１４】
なお、本実施例におけるサーバ装置１０３には、無線通信端末装置１００からアクセスポイント１０１とネットワーク１０２を経由して撮影データのアップロードの処理の際、アップロードされた撮影データを蓄積すると共に、撮影データの中に含まれる撮影画像データや付加情報を解析、データベース化し、撮影画像データや付加情報に関する解析結果を、ネットワーク１０２とアクセスポイント１０１を経由して、無線通信端末装置１００にダウンロードさせることができる。
【００１５】
ここで、無線通信端末装置１００で、写真の撮影が行われた場合、撮影データは、無線通信端末装置１００の蓄積用メモリに蓄積、管理データベースに登録されると共に、アクセスポイント１０１とネットワーク１０２を介して、サーバ装置１０３にアップロードされる。サーバ装置１０３では、アップロードされた撮影データをストレージに蓄積すると共に、撮影データの画像解析や付加情報の処理を行う。その画像解析や付加情報の処理結果は、解析結果情報として、ネットワーク１０２、アクセスポイント１０１を介して、無線通信端末装置１００にダウンロードさせ、無線通信端末装置１００は、撮影データに関連した解析結果情報を取得し、その解析結果情報を管理データベースに登録することができる。
【００１６】
また、無線通信端末装置１００で、写真の閲覧が行われた場合、無線通信端末装置１００に登録された管理データベースおよび蓄積された撮影データを蓄積用メモリから参照、表示するが、その際、参照すべき撮影データがない場合には、管理データベースの情報に従い、アクセスポイント１０１とネットワーク１０２を介して、サーバ装置１０３に撮影データのダウンロード要求が送信される。サーバ装置１０３では、要求された撮影データをストレージから読出し、読出した撮影データを、ネットワーク１０２、アクセスポイント１０１を介して、無線通信端末装置１００の蓄積用メモリにダウンロードさせ、蓄積用メモリに蓄積されると共に管理データベースを更新し、蓄積用メモリから参照、表示することができる。
【００１７】
次に、アクセスポイント１０１、ネットワーク１０１、または、サーバ装置１０３の何れかに障害がある場合に、無線通信端末装置１００で、写真の閲覧が行われた場合について説明する。まず、無線通信端末装置１００で、写真の閲覧が行われた場合、無線通信端末装置１００に蓄積された管理データベースおよび撮影データを蓄積用メモリから参照、表示するが、その際、参照すべき撮影データがない場合には、管理データベースの情報に従いアクセスポイント１０１とネットワーク１０２を介して、サーバ装置１０３に撮影データのダウンロード要求が送信しようとする。
【００１８】
しかし、何らかの障害によりネットワーク接続が行えない場合には、無線通信端末装置１００で、蓄積用メモリの管理データベースを参照し、閲覧しようとする撮影データに類似した撮影データを検索し、類似した撮影データがあった場合には、その撮影データを元に蓄積用メモリから参照、表示することができる。
【００１９】
これにより、無線通信端末装置１００で、写真の閲覧が行われた場合に、撮影データが蓄積用メモリに存在せず、かつ、アクセスポイント１０１、ネットワーク１０１、または、サーバ装置１０３の何れかに障害があった場合においても、類似した撮影データを表示することで、ユーザの利便性を高めることができる。
【００２０】
更に、上記の類似した撮影データを表示することを、撮影データの縮小画像（以下、サムネールと呼ぶ。）の時のみ動作するようにしても良い。
【００２１】
次に、実施例における無線通信端末装置１００について説明する。
図２は実施例１における第一の無線通信端末装置のハードウェアの構成の一例を示すブロック図である。
【００２２】
通信用アンテナ１０５、無線通信ユニット１０６、レンズ１０７、撮像素子１０８、イメージプロセッサ１０９、キー入力ユニット１１０、ＲＡＭ１１１、ＣＰＵ１１２、プログラムＲＯＭ１１３、表示ユニット１１４、蓄積用メモリ１１５、ＧＰＳユニット１１６、ＧＰＳ用アンテナ１１７から構成されており、無線通信端末装置の制御ソフトウェアは、プログラムＲＯＭ１１３に格納されているソフトウェアをＣＰＵ１１２とＲＡＭ１１１で解釈し実行し、無線通信ユニット１０６、イメージプロセッサ１０９、キー入力ユニット１１０、ＧＰＳユニット１１６、表示ユニット１１４、蓄積用メモリ１１５を制御している。
【００２３】
まず、写真の撮影の場合の動作について説明する。
写真の撮影の場合は、レンズ１０７、撮像素子１０８、イメージプロセッサ１０９からの出力データは、ＣＰＵ１１２により、表示ユニット１１４に表示されており、シャッターボタンが押されると、キー入力ユニット１１０でシャッターボタンが押された事を検出し、イメージプロセッサ１０９の出力データをＣＰＵ１１２で処理する。その際、ＧＰＳ用アンテナ１１７、ＧＰＳユニット１１６から得られる位置情報を含め、撮影データを生成し、蓄積用メモリ１１５に蓄積すると共に、蓄積用メモリ１１５の管理データベースに登録する。
【００２４】
更に、撮影データを、無線通信ユニット１０６、通信用アンテナ１０５を用いて、ネットワークを介し、サーバ装置にアップロードするよう動作すると共に、サーバ装置からアップロードした撮影データの解析結果情報をダウンロードし、蓄積用メモリ１１５の管理データベースを更新するよう動作する。
【００２５】
次ぎに、写真の閲覧の場合の動作について説明する。
写真の閲覧の場合は、蓄積メモリ１１５の管理データベースに従い、撮影データを読出し、ＣＰＵ１１２で処理し、表示ユニット１１４に表示するが、該当する撮影データが蓄積用メモリ１１５にない場合には、無線通信ユニット１０６、通信用アンテナ１０５を用いて、ネットワークを介し、サーバ装置に要求する。サーバ装置は、該当する撮影データを蓄積用メモリ１１５にダウンロードさせ、蓄積すると共に、ＣＰＵ１１２で処理し、表示ユニット１１４に表示すると共に、蓄積メモリ１１５の管理データベースを更新するよう動作する。
【００２６】
更に、アクセスポイント１０１、ネットワーク１０１、または、サーバ装置１０３の何れかに障害があった場合における、写真の閲覧の場合の動作について説明する。
【００２７】
アクセスポイント１０１、ネットワーク１０１、または、サーバ装置１０３の何れかに障害があった場合における、写真の閲覧の場合は、蓄積メモリ１１５の管理データベースに従い、撮影データを読出し、ＣＰＵ１１２で処理し、表示ユニット１１４に表示するが、該当する撮影データが蓄積用メモリ１１５にない場合には、無線通信ユニット１０６、通信用アンテナ１０５を用いて、ネットワークを介し、サーバ装置に要求するが、何らかの障害によりネットワーク接続が行えない場合には、サーバ装置に要求できない。
【００２８】
このような場合は、蓄積メモリ１１５の管理データベースを参照し、閲覧しようとする撮影データに類似した撮影データを検索し、類似した撮影データがあった場合には、その撮影データを元に蓄積用メモリから参照、表示するよう動作する。
【００２９】
次に、写真の撮影時に生成される、無線通信端末装置１００および、サーバ装置１０３で扱っている撮影データのデータ構造について説明する。
【００３０】
図３は実施例１における撮影データのデータ構造図である。
撮影データは、データの種類を識別するための「ヘッダ」、主画像である「撮影画像データ」、主画像の縮小された画像である「撮影画像サムネールデータ」、カメラの撮影情報である「撮影情報」、ＧＰＳ測位情報である「ＧＰＳ情報」、データフォーマットの互換情報である「フォーマット互換情報」、デジタルカメラメーカ別の固有情報である「メーカ固有情報」から構成されている。
【００３１】
一般的デジタルカメラの撮影データのデータ構造を規定したものには、業界標準技術であるＥｘｉｆ（Exchangeable image file format）がある。
【００３２】
通常、撮影画像データが撮影データの大半を占めており、次が撮影画像サムネールデータであり、その他のデータ量は、撮影画像データや撮影画像サムネールデータと比較すると非常に小さいな容量である。
【００３３】
次に、実施例におけるサーバ装置１０３について説明する。
図４は、実施例１におけるサーバ装置のブロック図である。ここでは、無線通信端末装置１００とサーバ装置１０３間で行われる撮影データのアップロードおよび、ダウンロードの際のサーバ装置の処理をブロック図を用いて説明する。
【００３４】
サーバ装置１０３は、ストレージ１１８、ファイルシステムインターフェース１１９、撮影データ書込処理部１２０、撮影データ読出処理部１２１、ネットワークインターフェース１２２、ネットワーク１２３から構成されており、無線通信端末装置からの撮影データのアップロードに対しは、ネットワーク１２３、ネットワークインターフェース１２２、撮影データ書込処理部１２０、ファイルシステムインターフェース１１９、ストレージ１１８で処理を行い、無線通信端末装置への撮影データのダウンロードに対しては、ストレージ１１８、ファイルシステムインターフェース１１９、撮影データ読出処理部１２１、ネットワークインターフェース１１２、ネットワーク１２３で処理を行うよう構成されている。
【００３５】
更に、撮影データ書込処理部１２０は、撮影データ受信１２４、画像解析付加情報処理１２５、画像解析データベース付加情報データベース参照更新１２６、解析結果情報送信か１２７から構成される。また、撮影データ読出処理部１２１は、撮影データ送信１２８から、構成される。撮影データ受信１２４の入力にネットワークインターフェース１２２の出力が接続される。撮影データ受信１２４の出力にファイルシステムインターフェース１１９の入力および画像解析付加情報処理１２５の入力が接続される。
【００３６】
画像解析付加情報処理１２５の入力に撮影データ受信１２４の出力が接続される。画像解析付加情報処理１２５の出力に画像解析データベース付加情報処理データベース参照更新１２６の入力が接続される。画像解析データベース付加情報処理データベース参照更新１２６の入力に画像解析付加情報処理１２５の出力が接続される。画像解析データベース付加情報処理データベース参照更新１２６の出力に解析結果情報送信１２７の入力が接続される。画像解析データベース付加情報処理データベース参照更新１２６の入出力にファイルシステムインターフェース１１９の入出力が接続される。
【００３７】
解析結果情報送信１２７の入力に画像解析データベース付加情報処理データベース参照更新１２６の出力が接続される。解析結果情報送信１２７の出力にネットワークインターフェース１２２の入力が接続される。また、撮影データ読出処理部１２１では、撮影データ送信１２８の入力にファイルシステムインターフェース１１９の出力が接続され、撮影データ送信１２８の出力にネットワークインターフェース１２２の入力が接続される。
【００３８】
ストレージ１１８は、撮影データ（日付別フォルダ）、画像解析データベース、付加情報データベースから構成され、撮影データを日付別フォルダに蓄積する機能（複数ユーザを扱う場合は、更にユーザ別に分離する機能）、画像解析データベースの蓄積参照機能、付加情報データベースの蓄積参照機能を含んでおり、ストレージ１１８の入出力は、ファイルシステムインターフェース１１９の入出力と接続される。
【００３９】
無線通信端末装置１００とサーバ装置１０３間で行われる撮影データのアップロードの場合は、無線通信端末装置１００より送られて来た撮影データは、ネットワーク１２３、ネットワークインターフェース１２２、撮影データ書込処理部１２０、ファイルシステムインターフェース１１９を介して、ストレージ１１８に撮影データとして日付別フォルダに蓄積される。
【００４０】
また、撮影データ書込処理部１２０では、ネットワークインターフェース１２２からの出力が、の撮影データ受信１２４に入力され、撮影データ受信１２４の出力は、ファイルインターフェース１１９への入力と、画像解析付加情報処理１２５に入力される。画像解析付加情報処理１２５では、画像解析として、画像の特徴量（コントラスト、色合い、濃淡分布、映像周波数成分、特徴的な構造の解析（例えば、人物の顔の検出）、背景情報、前景情報）の解析や、付加情報処理として、撮影情報、ＧＰＳ情報、フォーマット互換情報、メーカ固有情報に基づいた関連情報の取得（ＧＰＳ情報からの観光地情報や、撮影日付時刻とＧＰＳ情報からの天気、気温、湿度の情報の取得、ＧＰＳ情報が得られない場合は、アクセスポイントを用いた情報）、撮影データのネットワーク上蓄積位置情報（ＵＲＩ（Uniform Resource Identifier））を処理する。
【００４１】
画像解析付加情報処理１２５の出力は、画像解析データベース付加情報処理データベース参照更新１２６に入力される。画像解析データベース付加情報処理データベース参照更新１２６では、画像解析と付加情報のデータを、ファイルシステムインターフェース１１９を介して、ストレージ１１８の画像解析データベースと、付加情報データベースの参照更新を行い、画像解析データベース付加情報処理データベース参照更新１２６での処理結果を、解析結果情報送信１２７の入力する。解析結果情報送信１２７では、無線通信端末装置の管理データベースに合致するデータに整形し、解析結果情報送信１２７の出力は、ネットワークインターフェース１２２に入力される。
【００４２】
無線通信端末装置とサーバ装置間で行われる撮影データのダウンロードの場合は、無線通信端末装置から、ダウンロード要求のあった撮影データを、ストレージ１１８の日付別フォルダから読出し、ファイルシステムインターフェース１１９、撮影データ読出処理部１２１、ネットワークインターフェース１２２、ネットワーク１２３を介して無線通信端末装置に送信される。また、撮影データ読出処理部１２１では、ファイルインターフェース１１９からの出力が、撮影データ送信１２８に入力され、撮影データ送信１２８の出力は、ネットワークインターフェース１２２に入力する動作を行う。
【００４３】
また、上記の撮影データのダウンロードの場合、無線通信端末装置１００から、ダウンロード要求のあった撮影データが、図３に示した「撮影画像データ」であるのか、「撮影画像サムネールデータ」何れであるか、判別できる場合には、撮影データ送信１２８において、「撮影画像データ」を含む撮影データをネットワークインターフェース１２２に入力するのか、「撮影画像データ」を含まない撮影データをネットワークインターフェース１２２に入力するのかを切り替えるよう動作しても良い。
【００４４】
これにより、サーバ装置から無線通信端末装置へのダウンロードする撮影データのデータ量を削減することができる。
【００４５】
次に、実施例における無線通信端末装置１００の動作についてフローチャートを用いて説明する。フローチャートにおいて「Ｓ」は「ステップ」を意味する。
図５は実施例１における無線通信端末装置１００での撮影時のフローチャートである。
【００４６】
図５は、無線通信端末装置１００において、写真の撮影を行った場合の処理を示すフローチャートである。当該処理は、無線通信端末装置１００中のＣＰＵが無線通信端末装置１００の各部を制御することで実現される。
【００４７】
無線通信端末装置１００は、写真の撮影を行うと、撮影動作を開始し（Ｓ５０１）、撮影及び撮影データの蓄積を行い（Ｓ５０２）、同期して管理データベースに登録を実行（Ｓ５０３）する。そして、ネットワークの接続確認を行い（Ｓ５０４）、ネットワーク接続確認が正しく取得でき、サーバ装置に接続可能な場合は、サーバ装置１０３に撮影データをアップロードし（Ｓ５０５）、サーバ装置１０３で実行された撮影データに関する解析結果情報をダウンロードし（Ｓ５０６）、得られた解析結果情報で管理データベースを更新し（Ｓ５０７）、写真の撮影処理を終わる（Ｓ５０１）。
【００４８】
しかし、ネットワークの接続確認を行い（Ｓ５０４）、ネットワーク接続確認が正しく取得できず、サーバ装置に接続不可能な場合は、サーバ装置１０３への撮影データのアップロード処理をキューイング（Ｓ５０８）し、暫く待機処理した後（ウェイト）、再度、ネットワークの接続確認を行い（Ｓ５０４）を行い、サーバ装置１０３への撮影データのアップロードを試みるよう動作処理が行われる。
【００４９】
これにより、無線通信端末装置１００において、写真の撮影を行った場合、サーバ装置１０３への撮影データを確実にアップロードすると共に、サーバ装置１０３で実行された撮影データに関する解析結果情報をダウンロードも確実にダウンロードするよう動作することができる。
【００５０】
次に、実施例における無線通信端末装置１００の管理データベースについて説明する。
図６は実施例１における無線通信端末装置１００の管理データベースの例である。
【００５１】
管理データベース用のパラメータとして、ＩＤ番号、撮影画像データの有無、撮影画像サムネールデータの有無、メタデータ：日付・時刻・場所・天候・気温・湿度、撮影データのネットワーク上蓄積位置情報（ＵＲＩ）、類似画像パラメータから構成されており、ＩＤ番号は写真を撮影する度に数字が１ずつ加算されるようにし、ＩＤ番号に関連する各パラメータは、それぞれ独立した値を保持できるようになっている。
【００５２】
ここでの管理データベースの各パラメータは、この実施例では、以下のような意味付けを行っている。
ＩＤ番号は、数字が１ずつ加算されるため、1つの無線通信端末装置においては、必ずユニークが番号（数字が飛んでも良いが隣接するＩＤ番号は必ず小さい数字から大きな数字となる）となるようにしている。
【００５３】
撮影画像データの有無は、１が撮影画像データが蓄積用メモリにある事を、０が撮影画像データが蓄積用メモリにない事を示している。
撮影画像サムネールデータの有無は、１が撮影画像サムネールデータが蓄積用メモリにある事を、０が撮影画像サムネールデータが蓄積用メモリにない事を示している。
メタデータ：日付・時刻・場所・天候・気温・湿度については、日付は西暦の日付、時刻は２４時間表記（標準時刻かローカル時刻かの記載をしても良い）、場所はＧＰＳの情報（緯度、経度の情報）、天候は、晴れ/曇り/雨/雪に対して1/2/3/4の数字を割り付けたもの、気温は、-99度から＋99度に対して、199〜99（100の位はマイナスの意）、湿度は、0％から99％に対して、0〜99としている。
【００５４】
撮影データのネットワーク上蓄積位置情報（ＵＲＩ）は、サーバ装置の撮影データにアクセスする為の情報であり、ユニークな文字列となるようＵＲＩを使った表記としている。
類似画像パラメータは、画像の特徴量（コントラスト、色合い、濃淡分布、映像周波数成分、特徴的な構造の解析（例えば、人物の顔の検出））をそれぞれ特定のパターンでモデル化し、各画像の特徴量をアルファベットの２６文字に割り当て、５つのアルファベット列で示している。
【００５５】
上記を元に例として、図７におけるＩＤ番号１〜ＩＤ番号３のデータベースの意味を説明する。ＩＤ番号「１」のデータは、撮影画像データは「蓄積用メモリにある」、撮影画像サムネールデータは「蓄積用メモリにある」、メタデータは、日付「2008年1月1日」、時刻「09：00」、場所「北緯３９度、東経１３９度」、天候「晴れ」、気温「５度」、湿度「１５％」、撮影データのネットワーク上蓄積位置情報は「photo.com/user/080101/000001.jpg」、類似画像パラメータは「abcde」となることを意味している。
【００５６】
ＩＤ番号「２」のデータは、撮影画像データは「蓄積用メモリにない」、撮影画像サムネールデータは「蓄積用メモリにない」、メタデータは、日付「2008年1月1日」、時刻「09：05」、場所「北緯３９度、東経１３９度」、天候「晴れ」、気温「５度」、湿度「１５％」、撮影データのネットワーク上蓄積位置情報は「photo.com/user/080101/000002.jpg」、類似画像パラメータは「abcde」となることを意味している。
【００５７】
ＩＤ番号「３」のデータは、撮影画像データは「蓄積用メモリにない」、撮影画像サムネールデータは「蓄積用メモリにある」、メタデータは、日付「2008年1月1日」、時刻「09：30」、場所「北緯３９度、東経１３９度」、天候「晴れ」、気温「５度」、湿度「１５％」、撮影データのネットワーク上蓄積位置情報は「photo.com/user/080101/000003.jpg」、類似画像パラメータは「abcdf」となることを意味している。
【００５８】
次に、実施例における無線通信端末装置１００の動作についてフローチャートを用いて説明する。フローチャートにおいて「Ｓ」は「ステップ」を意味する。
図７、図８は実施例１における無線通信端末装置１００での写真の閲覧時の一連のフローチャートである。
図７、図８は、無線通信端末装置１００において、写真の閲覧を行った場合の処理を示すフローチャートである。当該処理は、無線通信端末装置１００中のＣＰＵが無線通信端末装置１００の各部を制御することで実現される。
【００５９】
ここでは、図７の実施例１における無線通信端末装置１００での撮影画像サムネール閲覧時のフローチャートと、図８の実施例１における無線通信端末装置での撮影画像データ閲覧時のフローチャートを分けて説明する。（以下、説明の中では、「サムネール」は、「撮影画像サムネール」を意味する）
まず、図７のサムネール閲覧時のフローチャートを説明する。
無線通信端末装置１００は、写真の閲覧を行うと、閲覧動作を開始し（Ｓ６０１）、閲覧する撮影データＩＤの選択を行い（Ｓ６０２）、その撮影データＩＤで管理データベースを参照する（Ｓ６０３）。そして、撮影データＩＤのサムネールデータの有無の確認を行い（Ｓ６０４）、サムネールデータがある場合には、サムネールを表示し（Ｓ６０５）、接点Ａとなる（Ｓ６１４）。
【００６０】
撮影データＩＤのサムネールデータの有無の確認を行い（Ｓ６０４）、サムネールデータが無い場合には、ネットワークの接続確認を行う（Ｓ６０６）。ネットワークの接続確認の結果、ネットワーク接続確認が正しく取得でき、サーバ装置１０３に接続可能な場合は、サーバ装置１０３から撮影データをダウンロードし（Ｓ６０７）、ダウンロードした撮影データを用い、サムネールを表示し（Ｓ６０８）、撮影データを蓄積用メモリに蓄積し、管理データベースを更新し（Ｓ６０９）、接点Ａとなる（Ｓ６１４）。
【００６１】
一方、ネットワークの接続確認の結果、ネットワーク接続確認が正しく取得できず、サーバ装置１０３に接続不可能な場合は、管理データベースより撮影データＩＤの類似画像を確認し（Ｓ６１０）、類似画像がある場合には、類似画像を選択し（Ｓ６１１）、類似サムネールを表示し（Ｓ６１２）、接点Ａとなる（Ｓ６１４）。管理データベースより撮影データＩＤの類似画像を確認し（Ｓ６１０）、類似画像がない場合には、「ｘ」マークを表示し（Ｓ６１３）、接点Ａとなる（Ｓ６１４）。
【００６２】
次に、図８の撮影画像データ閲覧時のフローチャートを説明する。
接点Ａとなった（Ｓ６１４）後、サムネールに対する操作選択がなされ（Ｓ６１５）、サムネールの表示を終了する（Ｓ６１６）、または、サムネールを削除する（Ｓ６１７）、または、サムネールを選んで拡大表示を行う（Ｓ６２０）の何れかが選択される。
【００６３】
サムネールの表示を終了する（Ｓ６１６）が選択された場合は、サムネールの表示を終了し（Ｓ６１６）、閲覧を終了する（Ｓ６２８）。
【００６４】
サムネールを削除する（Ｓ６１７）が、選択された場合は、撮影データの削除処理が実行し（Ｓ６１８）、更に、撮影データに関する管理データベースの情報を削除更新し（Ｓ６１９）、閲覧を終了する（Ｓ６２８）。
【００６５】
サムネールを選んで拡大表示を行う（Ｓ６２０）が、選択された場合は、管理データベースより撮影画像データの有無を確認し（Ｓ６２１）、撮影画像データがある場合には、撮影画像データを表示し（Ｓ６２２）、閲覧を終了する。（Ｓ６２８）。
【００６６】
サムネールを選んで拡大表示を行う（Ｓ６２０）が、選択された場合は、管理データベースより撮影画像データの有無を確認し（Ｓ６２１）、撮影画像データがない場合には、ネットワークの接続確認を行う（Ｓ６２３）。
【００６７】
ネットワークの接続確認の結果、ネットワーク接続確認が正しく取得でき、サーバ装置１０３に接続可能な場合は、サーバ装置１０３から撮影データをダウンロードし（Ｓ６２４）、ダウンロードした撮影データを用い、撮影画像データを表示し（Ｓ６２５）、撮影データを蓄積用メモリに蓄積し、管理データベースを更新し（Ｓ６２６）、閲覧を終了する（Ｓ６２８）。
【００６８】
一方、ネットワークの接続確認の結果、ネットワーク接続確認が正しく取得できず、サーバ装置１０３に接続不可能な場合は、「ネットワークに接続できませんでした」を表示し（Ｓ６２７）、閲覧を終了する（Ｓ６２８）。
【００６９】
図９は実施例における無線通信端末装置１００の写真の閲覧表示の例である。
ここでは、実施例１における無線通信端末装置１００において、撮影データを閲覧した場合の画面例を示す。
【００７０】
図９の４つの画面例は、「ネットワークが利用可能な場合」と「ネットワークが利用不可能な場合」において、それぞれ、「サムネール表示」を行った場合と、「撮影画像データの表示」を行った場合とを示している。
【００７１】
また、サムネール表示においては、縦３列、横３行の９枚のサムネールを表示した場合を示しており、それぞれの画像に関しては、図６の実施例１の管理データベースの例と合致したものである。サムネールの左上からID番号「１」として、中央上がID番号「２」、右上がID番号「３」、左中段がID番号「４」、中央中段がID番号「５」、右中段がID番号「６」、左下がID番号「７」、中央下がID番号「８」、右下がID番号「９」となっている例である。撮影画像データを表示する為の選択カーソルは、中央上のID番号「２」のところにあり、ユーザはこのサムネールデータの撮影画像データをサムネール拡大表示選択したものとする。
【００７２】
「ネットワークが利用可能な場合」で、「サムネール表示」を行った場合は、全て正しいサムネールを表示する事ができるので、この場合のサムネールは全て正しいサムネールである事を示している。
【００７３】
次に、「ネットワークが利用可能な場合」で、「撮影画像データの表示」を行った場合も、拡大表示されたID番号「２」に撮影画像データは、正しい撮影画像データである事を示している。
【００７４】
更に、「ネットワークが利用不可能な場合」で、「サムネール表示」を行った場合は、ID番号「１」「３」「５」「７」「８」はサムネールが存在するので、正しいサムネールであり、ID番号「２」「４」「６」「９」はサムネールが存在しないが、類似画像パラメータで同じ値のもの存在するので、類似サムネールを表示できるため、ID番号「２」「４」「６」は、それぞれID番号「１」「３」「５」が類似サムネールとして表示されている。
【００７５】
そして、「ネットワークが利用不可能な場合」で、「撮影画像データの表示」を行った場合は、ID番号「２」は撮影画像データが存在しない為、「ネットワークに接続できませんでした」の表示となる。
【００７６】
以上、実施例１の効果として、図９の無線通信端末装置１００の撮影データの「サムネール表示」の画面例にあるように、管理データベースを参照することで、類似したサムネールをユーザに提示することができ、ネットワークが繋がっていない場合においても、違和感の無いサムネール表示を行う事ができ、ユーザインターフェース上好ましい。
【００７７】
また、図９の無線通信端末装置１００の撮影データの「撮影画像データの表示」の画面例にあるにようにサムネール拡大表示選択が実行された場合には、ネットワークに接続でない旨の表示を行うことにより、本来の正しい「撮影画像データの表示」がネットワーク接続可能な場合には可能であることを知らせることができ、単に類似サムネールを拡大表示した場合と比較し、正しい画像表示か、類似した画像表示かの誤解を招くことを防止することができる。
【００７８】
更に、本実施例１では、サーバ装置にはすべての正しい撮影データがアップロードされており、かつ、無線通信端末装置に管理データベースを持つことで、全ての撮影データを無線通信端末装置に保持しなくても良い為、蓄積用メモリの容量の制限がある場合には、見掛け上多くの撮影データを無線通信端末装置に蓄積しているのと同等の効果が得られる。
【００７９】
本実施例１では、無線通信端末装置１００として説明したが、無線でなくても適用可能であるが、特に無線の場合には、サーバ装置１０３への接続の場合、無線通信が可能なの範囲かどうかの判定が、サーバ装置１０３への接続確認に先立ち判定可能なので、ネットワーク接続確認（Ｓ５０４やＳ６０６）の内部処理を階層化することで、高速な判定処理ができ、無線通信端末装置１００の動作の高速化に有効である。
【００８０】
また、本実施例１では、無線通信端末装置１００として、図２のように撮影データの取得部分（レンズ１０７、撮像素子１０８、イメージプロセッサ１０９）とし、カメラ一体型の無線通信端末装置として説明したが、カメラ部分は一体型でなくとも、有線、無線、光等の通信手段を用いて接続されていれば良い。
【００８１】
一方、本実施例１により、ネットワークが繋がっていない場合においても、違和感の無いサムネール表示が可能となるため、意図的に無線通信ユニットを停止させることで、無線通信端末装置１００の省電力化に対しても、効果が期待できる。
【００８２】
更に、本実施例１においては、撮影画像データを一枚、一枚に対して、ダウンロード、アップロード処理するよう説明したが、一定の纏まり単位、例えば、図９のサムネール表示の場合、９枚単位の撮影画像を纏めて、ダウンロード処理することで、無線通信端末装置１００での処理速度や省電力化に効果が期待できる。
【実施例２】
【００８３】
以後、実施例２について述べるが、同じ機能のものには実施例１の場合と同じ番号を付加している。
【００８４】
実施例２では、図１の無線通信端末装置１００において、図２のプログラムＲＯＭ１１３または、蓄積用メモリ１１５に推定画像用の情報（推定背景、推定前景）が、保持されているものとする。
【００８５】
図１０は実施例２における無線通信端末装置の管理データベースの例である。
ここでは、無線通信端末装置の蓄積用用メモリにある撮影データ用の管理データベースについて説明する。
図１０の管理データベースは、図６の管理データベースと類似しているので、差分のみを説明する。
【００８６】
図１０は、図６の管理データベース用のパラメータに、推定背景、推定前景を加えたものから構成されている。
推定背景は、画像の特徴量から類推した背景となる画像の例を元にモデル化し、アルファベットの２６文字に割り当て、１つのアルファベットで示している。
推定前景は、画像の特徴量から類推した前傾または中心部分となる画像の例を元にモデル化し、アルファベットの２６文字に割り当て、１つのアルファベットで示している。
【００８７】
上記を元に例として、図１０のＩＤ番号１〜ＩＤ番号３のデータベースの意味を説明する。ＩＤ番号「１」のデータは、撮影画像データは「蓄積用メモリにある」、撮影画像サムネールデータは「蓄積用メモリにある」、メタデータは、日付「2008年1月1日」、時刻「09：00」、場所「北緯３９度、東経１３９度」、天候「晴れ」、気温「５度」、湿度「１５％」、撮影データのネットワーク上蓄積位置情報は「photo.com/user/080101/000001.jpg」、類似画像パラメータは「abcde」、推定背景は「a」、推定前景「b」となることを意味している。
【００８８】
ＩＤ番号「２」のデータは、撮影画像データは「蓄積用メモリにない」、撮影画像サムネールデータは「蓄積用メモリにない」、メタデータは、日付「2008年1月1日」、時刻「09：05」、場所「北緯３９度、東経１３９度」、天候「晴れ」、気温「５度」、湿度「１５％」、撮影データのネットワーク上蓄積位置情報は「photo.com/user/080101/000002.jpg」、類似画像パラメータは「abcde」、推定背景は「a」、推定前景「b」となることを意味している。
【００８９】
ＩＤ番号「３」のデータは、撮影画像データは「蓄積用メモリにない」、撮影画像サムネールデータは「蓄積用メモリにある」、メタデータは、日付「2008年1月1日」、時刻「09：30」、場所「北緯３９度、東経１３９度」、天候「晴れ」、気温「５度」、湿度「１５％」、撮影データのネットワーク上蓄積位置情報は「photo.com/user/080101/000003.jpg」、類似画像パラメータは「abcdｆ」、推定背景は「a」、推定前景「b」となることを意味している。
【００９０】
次に、実施例における無線通信端末装置１００の動作についてフローチャートを用いて説明する。フローチャートにおいて「Ｓ」は「ステップ」を意味する。
図１１、図１２は実施例２における無線通信端末装置１００での写真の閲覧時の一連のフローチャートである。
図１１、図１２は、無線通信端末装置１００において、写真の閲覧を行った場合の処理を示すフローチャートである。当該処理は、無線通信端末装置１００中のＣＰＵが無線通信端末装置１００の各部を制御することで実現される。
【００９１】
ここでは、図１１の実施例２における無線通信端末装置１００での撮影画像サムネール閲覧時のフローチャートと、図１２の実施例２における無線通信端末装置での撮影画像データ閲覧時のフローチャートを分けて説明する。（以下、説明の中では、「サムネール」は、「撮影画像サムネール」を意味する）
まず、図１１のサムネール閲覧時のフローチャートを説明する。
無線通信端末装置１００は、写真の閲覧を行うと、閲覧動作を開始し（Ｓ６０１）、閲覧する撮影データＩＤの選択を行い（Ｓ６０２）、その撮影データＩＤで管理データベースを参照する（Ｓ６０３）。そして、撮影データＩＤのサムネールデータの有無の確認を行い（Ｓ６０４）、サムネールデータがある場合には、サムネールを表示し（Ｓ６０５）、接点Ｂとなる（Ｓ６３２）。
【００９２】
撮影データＩＤのサムネールデータの有無の確認を行い（Ｓ６０４）、サムネールデータが無い場合には、ネットワークの接続確認を行う（Ｓ６０６）。ネットワークの接続確認の結果、ネットワーク接続確認が正しく取得でき、サーバ装置１０３に接続可能な場合は、サーバ装置１０３から撮影データをダウンロードし（Ｓ６０７）、ダウンロードした撮影データを用い、サムネールを表示し（Ｓ６０８）、撮影データを蓄積用メモリに蓄積し、管理データベースを更新し（Ｓ６０９）、接点Ｂとなる（Ｓ６３２）。
【００９３】
一方、ネットワークの接続確認の結果、ネットワーク接続確認が正しく取得できず、サーバ装置１０３に接続不可能な場合は、管理データベースより撮影データＩＤの類似画像を確認し（Ｓ６１０）、類似画像がある場合には、類似画像を選択し（Ｓ６１１）、類似サムネールを表示し（Ｓ６１２）、接点Ｂとなる（Ｓ６３２）。
【００９４】
管理データベースより撮影データＩＤの類似画像を確認し（Ｓ６１０）、類似画像がない場合には、管理データベースより推定背景を選択し（Ｓ６２９）、更に、推定前景を選択し（Ｓ６３０）、推定背景と推定前景を合成し、代替サムネールを表示し（Ｓ６３１）、接点Ｂとなる（Ｓ６３２）。
【００９５】
次に、図１２の撮影画像データ閲覧時のフローチャートを説明する。
接点Ｂとなった（Ｓ６３２）後、サムネールに対する操作選択がなされ（Ｓ６１５）、サムネールの表示を終了する（Ｓ６１６）、または、サムネールを削除する（Ｓ６１７）、または、サムネールを選んで拡大表示を行う（Ｓ６２０）の何れかが選択される。
【００９６】
サムネールの表示を終了する（Ｓ６１６）が選択された場合は、サムネールの表示を終了し（Ｓ６１６）、閲覧を終了する（Ｓ６２８）。
サムネールを削除する（Ｓ６１７）が、選択された場合は、撮影データの削除処理が実行し（Ｓ６１８）、更に、撮影データに関する管理データベースの情報を削除更新し（Ｓ６１９）、閲覧を終了する（Ｓ６２８）。
【００９７】
サムネールを選んで拡大表示を行う（Ｓ６２０）が、選択された場合は、管理データベースより撮影画像データの有無を確認し（Ｓ６２１）、撮影画像データがある場合には、撮影画像データを表示し（Ｓ６２２）、閲覧を終了する。（Ｓ６２８）。
サムネールを選んで拡大表示を行う（Ｓ６２０）が、選択された場合は、管理データベースより撮影画像データの有無を確認し（Ｓ６２１）、撮影画像データがない場合には、ネットワークの接続確認を行う（Ｓ６２３）。
【００９８】
ネットワークの接続確認の結果、ネットワーク接続確認が正しく取得でき、サーバ装置１０３に接続可能な場合は、サーバ装置１０３から撮影データをダウンロードし（Ｓ６２４）、ダウンロードした撮影データを用い、撮影画像データを表示し（Ｓ６２５）、撮影データを蓄積用メモリに蓄積し、管理データベースを更新し（Ｓ６２６）、閲覧を終了する（Ｓ６２８）。
【００９９】
一方、ネットワークの接続確認の結果、ネットワーク接続確認が正しく取得できず、サーバ装置１０３に接続不可能な場合は、「ネットワークに接続できませんでした」を表示し（Ｓ６２７）、閲覧を終了する（Ｓ６２８）。
【０１００】
図１３は実施例２における無線通信端末装置１００の写真の閲覧表示の例である。
ここでは、実施例２における無線通信端末装置１００において、撮影データを閲覧した場合の画面例を示す。
図１３の４つの画面例は、「ネットワークが利用可能な場合」と「ネットワークが利用不可能な場合」において、それぞれ、「サムネール表示」を行った場合と、「撮影画像データの表示」を行った場合とを示している。
【０１０１】
また、サムネール表示においては、縦３列、横３行の９枚のサムネールを表示した場合を示しており、それぞれの画像に関しては、図１０の実施例２の管理データベースの例と合致したもので、サムネールの左上からID番号「１」として、中央上がID番号「２」、右上がID番号「３」、左中段がID番号「４」、中央中段がID番号「５」、右中段がID番号「６」、左下がID番号「７」、中央下がID番号「８」、右下がID番号「９」となっている例であり、撮影画像データを表示する為の選択カーソルは、中央上のID番号「２」のところにあり、ユーザはこのサムネールデータの撮影画像データをサムネール拡大表示選択したものとする。
【０１０２】
「ネットワークが利用可能な場合」で、「サムネール表示」を行った場合は、全て正しいサムネールを表示する事ができるので、この場合のサムネールは全て正しいサムネールである事を示している。
次に、「ネットワークが利用可能な場合」で、「撮影画像データの表示」を行った場合も、拡大表示されたID番号「２」に撮影画像データは、正しい撮影画像データである事を示している。
【０１０３】
更に、「ネットワークが利用不可能な場合」で、「サムネール表示」を行った場合は、ID番号「１」「３」「５」「７」「８」はサムネールが存在するので、正しいサムネールであり、ID番号「２」「４」「６」「９」はサムネールが存在しないが、類似画像パラメータで同じ値のもの存在するので、類似サムネールを表示できるため、ID番号「２」「４」「６」は、それぞれID番号「１」「３」「５」が類似サムネールとして表示されている。ID番号「９」については、サムネールも存在せず、類似画像パラメータも同じものが存在しないが、推定背景と推定前景の情報により、代替サムネールを生成に表示している。
【０１０４】
そして、「ネットワークが利用不可能な場合」で、「撮影画像データの表示」を行った場合は、ID番号「２」は撮影画像データが存在しない為、「ネットワークに接続できませんでした」の表示となる。
【０１０５】
以上、実施例２の効果として、実施例１の効果に加え、図１３の無線通信端末装置１００の撮影データの「サムネール表示」の画面例にあるように、管理データベースを参照することで、代替サムネールをユーザに提示するこおとができ、ネットワークが繋がっていない場合においても、更に、違和感の無いサムネール表示を行うことができ、ユーザインターフェース上好ましい。
【実施例３】
【０１０６】
以後、実施例３について述べるが、同じ機能のものには実施例１、実施例２の場合と同じ番号を付加している。
【０１０７】
まず、本実施例の概要について説明する。図１４は本発明の実施例の概要である。１００は、デジタルカメラの機能や無線通信機能を持つネットワークにアクセス可能な無線通信端末装置である。１０１は、無線通信機能やインターネット回線と通信を行う機能を有するアクセスポイントである。１０３は、インターネット回線と通信を行う機能や無線通信端末装置１００からの要求に従い、撮影データの蓄積（以下、「アップロード」という。）したり、無線通信端末装置１００からの要求に従い、撮影データを送信（以下、ダウンロードという。）したりするサーバ装置である。１２９は、無線通信端末装置１００とは異なった通信方式を持つカメラ付き携帯電話である。１３０は、カメラ付き携帯電話１２９をネットワーク１０２にアクセスさせるための中継局である。
【０１０８】
ここでは、図１の実施例１との差分について説明する。
無線通信端末装置１００で、写真の撮影が行われた場合は、実施例１と全く同じ動作となるため、説明を省略する。
無線通信端末装置１００で、写真の閲覧が行われた場合、アクセスポイント１０１、ネットワーク１０１、または、サーバ装置１０３の何れかに障害がない場合には、実施例１と全く同じ動作となるため、説明を省略する。
【０１０９】
次に、無線通信端末装置１００で、アクセスポイント１０１、ネットワーク１０１、または、サーバ装置１０３の何れかに障害がある場合に、無線通信端末装置１００で、写真の閲覧が行われた場合について説明する。まず、無線通信端末装置１００で、写真の閲覧が行われた場合、無線通信端末装置１００に蓄積された管理データベースおよび撮影データを蓄積用メモリから参照、表示するが、その際、参照すべき撮影データがない場合には、管理データベースの情報に従いアクセスポイント１０１とネットワーク１０２を介して、サーバ装置１０３に撮影データのダウンロード要求が送信しようとする。
【０１１０】
しかし、何らかの障害によりネットワーク接続が行えない場合には、無線通信端末装置１００で、蓄積用メモリの管理データベースを参照し、閲覧しようとする撮影データに類似した撮影データを検索し、類似した撮影データがあった場合には、その撮影データを元に蓄積用メモリから参照、表示することができる。
【０１１１】
これにより、無線通信端末装置１００で、写真の閲覧が行われた場合に、撮影データが蓄積用メモリに存在せず、かつ、アクセスポイント１０１、ネットワーク１０１、または、サーバ装置１０３の何れかに障害があった場合においても、類似した撮影データを表示することで、ユーザの利便性を高めることができる。
【０１１２】
更に、ここで、無線通信端末装置１００において、撮影データの表示（サムメールではない）を行う場合、撮影データが蓄積用メモリにない場合は、管理データベースにある撮影データのサーバ装置上の場所（ＵＲＩ）をＱＲコード化した画像を表示する事が有効である。
【０１１３】
これは、無線通信端末装置１００でＱＲコードを表示する事で、カメラ付き携帯電話１２９の機能を用いて、１３０の中継局経由で、サーバ装置の撮影画像データをダウンロードする事ができるようになる為である。
【０１１４】
次に、実施例における無線通信端末装置１００の動作についてフローチャートを用いて説明する。フローチャートにおいて「Ｓ」は「ステップ」を意味する。
図１５、図１６は実施例３における無線通信端末装置１００での写真の閲覧時の一連のフローチャートである。
図１５、図１６は、無線通信端末装置１００において、写真の閲覧を行った場合の処理を示すフローチャートである。当該処理は、無線通信端末装置１００中のＣＰＵが無線通信端末装置１００の各部を制御することで実現される。
【０１１５】
ここでは、図１５の実施例３における無線通信端末装置１００での撮影画像サムネール閲覧時のフローチャートと、図１６の実施例３における無線通信端末装置での撮影画像データ閲覧時のフローチャートを分けて説明する。（以下、説明の中では、「サムネール」は、「撮影画像サムネール」を意味する）
まず、図１５のサムネール閲覧時のフローチャートを説明する。
無線通信端末装置１００は、写真の閲覧を行うと、閲覧動作を開始し（Ｓ６０１）、閲覧する撮影データＩＤの選択を行い（Ｓ６０２）、その撮影データＩＤで管理データベースを参照する（Ｓ６０３）。そして、撮影データＩＤのサムネールデータの有無の確認を行い（Ｓ６０４）、サムネールデータがある場合には、サムネールを表示し（Ｓ６０５）、接点Ｃとなる（Ｓ６３３）。
【０１１６】
撮影データＩＤのサムネールデータの有無の確認を行い（Ｓ６０４）、サムネールデータが無い場合には、ネットワークの接続確認を行う（Ｓ６０６）。ネットワークの接続確認の結果、ネットワーク接続確認が正しく取得でき、サーバ装置１０３に接続可能な場合は、サーバ装置１０３から撮影データをダウンロードし（Ｓ６０７）、ダウンロードした撮影データを用い、サムネールを表示し（Ｓ６０８）、撮影データを蓄積用メモリに蓄積し、管理データベースを更新し（Ｓ６０９）、接点Ｃとなる（Ｓ６３３）。
【０１１７】
一方、ネットワークの接続確認の結果、ネットワーク接続確認が正しく取得できず、サーバ装置１０３に接続不可能な場合は、管理データベースより撮影データＩＤの類似画像を確認し（Ｓ６１０）、類似画像がある場合には、類似画像を選択し（Ｓ６１１）、類似サムネールを表示し（Ｓ６１２）、接点Ｃとなる（Ｓ６３３）。
【０１１８】
管理データベースより撮影データＩＤの類似画像を確認し（Ｓ６１０）、類似画像がない場合には、管理データベースより推定背景を選択し（Ｓ６２９）、更に、推定前景を選択し（Ｓ６３０）、推定背景と推定前景を合成し、代替サムネールを表示し（Ｓ６３１）、接点Ｃとなる（Ｓ６３３）。
【０１１９】
次に、図１６の撮影画像データ閲覧時のフローチャートを説明する。
接点Ｃとなった（Ｓ６３３）後、サムネールに対する操作選択がなされ（Ｓ６１５）、サムネールの表示を終了する（Ｓ６１６）、または、サムネールを削除する（Ｓ６１７）、または、サムネールを選んで拡大表示を行う（Ｓ６２０）の何れかが選択される。
【０１２０】
サムネールの表示を終了する（Ｓ６１６）が選択された場合は、サムネールの表示を終了し（Ｓ６１６）、閲覧を終了する（Ｓ６２８）。
サムネールを削除する（Ｓ６１７）が、選択された場合は、撮影データの削除処理が実行し（Ｓ６１８）、更に、撮影データに関する管理データベースの情報を削除更新し（Ｓ６１９）、閲覧を終了する（Ｓ６２８）。
【０１２１】
サムネールを選んで拡大表示を行う（Ｓ６２０）が、選択された場合は、管理データベースより撮影画像データの有無を確認し（Ｓ６２１）、撮影画像データがある場合には、撮影画像データを表示し（Ｓ６２２）、閲覧を終了する。（Ｓ６２８）。
【０１２２】
サムネールを選んで拡大表示を行う（Ｓ６２０）が、選択された場合は、管理データベースより撮影画像データの有無を確認し（Ｓ６２１）、撮影画像データがない場合には、ネットワークの接続確認を行う（Ｓ６２３）。
【０１２３】
ネットワークの接続確認の結果、ネットワーク接続確認が正しく取得でき、サーバ装置１０３に接続可能な場合は、サーバ装置１０３から撮影データをダウンロードし（Ｓ６２４）、ダウンロードした撮影データを用い、撮影画像データを表示し（Ｓ６２５）、撮影データを蓄積用メモリに蓄積し、管理データベースを更新し（Ｓ６２６）、閲覧を終了する（Ｓ６２８）。
【０１２４】
一方、ネットワークの接続確認の結果、ネットワーク接続確認が正しく取得できず、サーバ装置１０３に接続不可能な場合は、管理データベースより、撮影画像データのネットワーク上の蓄積位置情報（ＵＲＩ）をＱＲコードに変換し（Ｓ６３４）、変換し得られたＱＲコード画像を表示し（Ｓ６３５）、閲覧を終了する（Ｓ６２８）。
【０１２５】
図１７は実施例３における無線通信端末装置１００の写真の閲覧表示の例である。
ここでは、実施例３における無線通信端末装置１００において、撮影データを閲覧した場合の画面例を示す。
【０１２６】
図１７の４つの画面例は、「ネットワークが利用可能な場合」と「ネットワークが利用不可能な場合」において、それぞれ、「サムネール表示」を行った場合と、「撮影画像データの表示」を行った場合とを示している。
【０１２７】
また、サムネール表示においては、縦３列、横３行の９枚のサムネールを表示した場合を示しており、それぞれの画像に関しては、図１０の実施例２の管理データベースの例と合致したもので、サムネールの左上からID番号「１」として、中央上がID番号「２」、右上がID番号「３」、左中段がID番号「４」、中央中段がID番号「５」、右中段がID番号「６」、左下がID番号「７」、中央下がID番号「８」、右下がID番号「９」となっている例である。撮影画像データを表示する為の選択カーソルは、中央上のID番号「２」のところにあり、ユーザはこのサムネールデータの撮影画像データをサムネール拡大表示選択したものとする。
【０１２８】
「ネットワークが利用可能な場合」で、「サムネール表示」を行った場合は、全て正しいサムネールを表示する事ができるので、この場合のサムネールは全て正しいサムネールである事を示している。
【０１２９】
次に、「ネットワークが利用可能な場合」で、「撮影画像データの表示」を行った場合も、拡大表示されたID番号「２」に撮影画像データは、正しい撮影画像データである事を示している。
【０１３０】
更に、「ネットワークが利用不可能な場合」で、「サムネール表示」を行った場合は、ID番号「１」「３」「５」「７」「８」はサムネールが存在するので、正しいサムネールであり、ID番号「２」「４」「６」「９」はサムネールが存在しないが、類似画像パラメータで同じ値のもの存在するので、類似サムネールを表示できるため、ID番号「２」「４」「６」は、それぞれID番号「１」「３」「５」が類似サムネールとして表示されている。ID番号「９」については、サムネールも存在せず、類似画像パラメータも同じものが存在しないが、推定背景と推定前景の情報により、代替サムネールを生成に表示している。
【０１３１】
そして、「ネットワークが利用不可能な場合」で、「撮影画像データの表示」を行った場合は、ID番号「２」は撮影画像データが存在しない為、撮影画像データのネットワーク上の蓄積位置情報（ＵＲＩ）のＱＲコード画像を表示となる。
【０１３２】
以上、実施例３の効果として、実施例１、実施例２の効果に加え、図１７の無線通信端末装置１００の撮影データの「撮影画像データ表示」の画面例にあるように、管理データベースを参照することで、撮影画像データのネットワーク上の蓄積位置情報（ＵＲＩ）をＱＲコードでユーザに提示することができ、カメラ付き携帯電話１２９の機能を用いて、サーバ装置の撮影画像データをダウンロード、表示することができるようになり、ユーザの利便性が向上する。
【０１３３】
また、実施例３では、撮影画像データの表示を携帯電話１２９で可能なので、図２の「撮影画像データ確認（Ｓ６２１）」のＮＯの場合の処理を直接「ＵＲＩ→ＱＲコード変換（Ｓ６３４）」に接続し、ネットワーク接続（Ｓ６２３）以降の処理を行わない動作モード設けることで、無線通信端末装置１００でのサムネールのみの表示を行い、通信の消費電力を減らし、撮影時間が長く取れるような撮影優先モードを設けるようなことも可能である。
【実施例４】
【０１３４】
以後、実施例４について述べるが、同じ機能のものには実施例１、実施例２、実施例３の場合と同じ番号を付加している。
次に、実施例における無線通信端末装置１００の動作についてフローチャートを用いて説明する。フローチャートにおいて「Ｓ」は「ステップ」を意味する。
図１８、図１９は実施例４における無線通信端末装置１００での写真の閲覧時の一連のフローチャートである。
図１８、図１９は、無線通信端末装置１００において、写真の閲覧を行った場合の処理を示すフローチャートである。当該処理は、無線通信端末装置１００中のＣＰＵが無線通信端末装置１００の各部を制御することで実現される。
【０１３５】
ここでは、図１８の実施例４における無線通信端末装置１００での撮影画像サムネール閲覧時のフローチャートと、図１９の実施例４における無線通信端末装置での撮影画像データ閲覧時のフローチャートを分けて説明する。（以下、説明の中では、「サムネール」は、「撮影画像サムネール」を意味する）
まず、図１８のサムネール閲覧時のフローチャートを説明する。
無線通信端末装置１００は、写真の閲覧を行うと、閲覧動作を開始し（Ｓ６０１）、閲覧する撮影データＩＤの選択を行い（Ｓ６０２）、その撮影データＩＤで管理データベースを参照する（Ｓ６０３）。そして、撮影データＩＤのサムネールデータの有無の確認を行い（Ｓ６０４）、サムネールデータがある場合には、サムネールを表示し（Ｓ６０５）、接点Ｃとなる（Ｓ６３３）。
【０１３６】
撮影データＩＤのサムネールデータの有無の確認を行い（Ｓ６０４）、サムネールデータが無い場合には、管理データベースより撮影データＩＤの類似画像を確認し（Ｓ６１０）、類似画像がある場合には、類似画像を選択し（Ｓ６１１）、類似サムネールを表示し（Ｓ６１２）、ネットワークの接続確認を行う（Ｓ６０６）。
【０１３７】
管理データベースより撮影データＩＤの類似画像を確認し（Ｓ６１０）、類似画像がない場合には、管理データベースより推定背景を選択し（Ｓ６２９）、更に、推定前景を選択し（Ｓ６３０）、推定背景と推定前景を合成し、代替サムネールを表示し（Ｓ６３１）、ネットワークの接続確認を行う（Ｓ６０６）。
【０１３８】
ネットワークの接続確認の結果、ネットワーク接続確認が正しく取得でき、サーバ装置１０３に接続可能な場合は、サーバ装置１０３から撮影データをダウンロードし（Ｓ６０７）、ダウンロードした撮影データを用い、サムネールを表示し（Ｓ６０８）、撮影データを蓄積用メモリに蓄積し、管理データベースを更新し（Ｓ６０９）、接点Ｄとなる（Ｓ６３６）。一方、ネットワークの接続確認の結果、ネットワーク接続確認が正しく取得できず、サーバ装置１０３に接続不可能な場合は、何も行わず、接点Ｄとなる（Ｓ６３６）。
【０１３９】
次に、図１９の撮影画像データ閲覧時のフローチャートを説明する。
接点Ｄとなった（Ｓ６３６）後、サムネールに対する操作選択がなされ（Ｓ６１５）、サムネールの表示を終了する（Ｓ６１６）、または、サムネールを削除する（Ｓ６１７）、または、サムネールを選んで拡大表示を行う（Ｓ６２０）の何れかが選択される。
【０１４０】
サムネールの表示を終了する（Ｓ６１６）が選択された場合は、サムネールの表示を終了し（Ｓ６１６）、閲覧を終了する（Ｓ６２８）。
サムネールを削除する（Ｓ６１７）が、選択された場合は、撮影データの削除処理が実行し（Ｓ６１８）、更に、撮影データに関する管理データベースの情報を削除更新し（Ｓ６１９）、閲覧を終了する（Ｓ６２８）。
【０１４１】
サムネールを選んで拡大表示を行う（Ｓ６２０）が、選択された場合は、現在表示されているサムネールを拡大して表示し（Ｓ６３７）、その後、管理データベースより撮影画像データの有無を確認し（Ｓ６２１）、撮影画像データがある場合には、撮影画像データを表示し（Ｓ６２２）、閲覧を終了する。（Ｓ６２８）。
【０１４２】
一方、管理データベースより撮影画像データの有無を確認し（Ｓ６２１）、撮影画像データがない場合には、ネットワークの接続確認を行う（Ｓ６２３）。
ネットワークの接続確認の結果、ネットワーク接続確認が正しく取得でき、サーバ装置１０３に接続可能な場合は、サーバ装置１０３から撮影データをダウンロードし（Ｓ６２４）、ダウンロードした撮影データを用い、撮影画像データを表示し（Ｓ６２５）、撮影データを蓄積用メモリに蓄積し、管理データベースを更新し（Ｓ６２６）、閲覧を終了する（Ｓ６２８）。
【０１４３】
一方、ネットワークの接続確認の結果、ネットワーク接続確認が正しく取得できず、サーバ装置１０３に接続不可能な場合は、管理データベースより、撮影画像データのネットワーク上の蓄積位置情報（ＵＲＩ）をＱＲコードに変換し（Ｓ６３４）、変換し得られたＱＲコード画像を表示し（Ｓ６３５）、閲覧を終了する（Ｓ６２８）。
【０１４４】
図２０は実施例４における無線通信端末装置の閲覧時表示の例である。
ここでは、実施例４における無線通信端末装置において、撮影データを閲覧した場合の画面例を示す。
図２０は、先に説明した図１８と同じ条件で、４つの画面例示したものである。
【０１４５】
図２０と図１８の実施例との差分は、「ネットワークが利用可能な場合」で、「サムネール表示」および「撮影画像データ表示」を行った場合、「ネットワークが利用不可能な場合」で、「撮影画像データ表示」を行った場合であり、この部分について説明する。
【０１４６】
図２０において、「ネットワークが利用可能な場合」で、「サムネール表示」場合、図１８のフローの処理により、ID番号「１」「３」「５」「７」「８」はサムネールが存在するので、正しいサムネールである。ID番号「２」「４」「６」「９」はサムネールが存在しないが、類似画像パラメータで同じ値のもの存在するので、サムネール表示においては、類似サムネールを表示するようになる。ID番号「２」「４」「６」は、それぞれID番号「１」「３」「５」が類似サムネールとして表示し、ID番号「９」は、サムネールも存在せず、類似画像パラメータも同じものが存在しないが、推定背景と推定前景の情報により、代替サムネールを生成に表示し、その表示後、ネットワーク接続確認が行われ、全て正しいサムネールを表示する。
【０１４７】
図２０において、「ネットワークが利用可能な場合」で、「撮影画像データ表示」場合、図１９のフローの処理により、まず、ID番号「２」のサムネールが拡大表示され、その表示後、ネットワーク接続確認が行われ、正しい撮影画像データ表示する。
【０１４８】
図２０において、「ネットワークが利用不可能な場合」で、「撮影画像データ表示」場合、図１９のフローの処理により、まず、ID番号「２」のサムネールが拡大表示され、その表示後、撮影データが保存されているネットワーク上蓄積位置情報（URI）をQRコード変換したものを生成し表示する。
【０１４９】
以上、実施例４の効果として、実施例１、実施例２、実施例３の効果に加え、無線通信端末装置のサムネール表示を行う場合、管理データベースを参照することで、サムネール、類似サムネール、または、代替サムネールを表示した後、ネットワーク接続を行い、サーバ装置から、正しいサムネールデータをダウンロードし、表示する処理ができる。撮影画像データの表示を行う場合、サムネールを拡大表示した後、ネットワーク接続を行い、サーバ装置から、正しい撮影データをダウンロードし、表示する処理を行うため、特にネットワーク回線が低速場合に、画像表示が速く行えるようになり、ユーザの利便性を向上させることができる。
【０１５０】
また、上記のおいてネットワーク接続（Ｓ６２３）以降の処理を行わない動作モード設けることで、無線通信端末装置１００の通信の消費電力を減らし、撮影時間が長く取れるような撮影時間を優先した動作モードを設けるようなことも可能である。
【０１５１】
次に、実施例における無線通信端末装置１００の動作についてフローチャートを用いて説明する。フローチャートにおいて「Ｓ」は「ステップ」を意味する。
図２１は実施例１〜４に共通な無線通信端末装置での撮影データ削除の内部フローチャートで一例であり、撮影データ削除選択の処理（Ｓ６１８）の内部を説明したものである。
撮影データ削除の処理（Ｓ６１８）は、選択操作により（Ｓ６３８）、撮影データの削除処理を中止する（Ｓ６３９）、撮影データから、撮影画像データを削除する（Ｓ６４０）、
撮影データから、撮影画像データおよびサムネールデータを削除する（Ｓ６４１）、撮影データを全て削除し、管理データベースからも削除する（Ｓ６４２）の何れかが実行される。
【０１５２】
なお、図２１の説明では、ユーザが、撮影データの削除処理を中止する（Ｓ６３９）、撮影データから、撮影画像データを削除する（Ｓ６４０）、撮影データから、撮影画像データおよびサムネールデータを削除する（Ｓ６４１）、撮影データを全て削除し、管理データベースからも削除する（Ｓ６４２）の何れかを実行するような説明を行ったが、無線通信端末装置１００の蓄積用メモリの空き容量により、空き容量がある設定された設定値以上であれば、撮影データから、撮影画像データを削除する（Ｓ６４０）を実行し、空き容量がある設定された設定値より下であれば、撮影データから、撮影画像データおよびサムネールデータを削除する（Ｓ６４１）を実行するようにしても良い。
【０１５３】
図２２は図２１と同様に実施例１〜４における無線通信端末装置での撮影データ削除を行う場合の撮影データのデータ構造および、管理データベースの内部データの処理内容を説明したものである。
図２２では場合分けとして、撮影が実行された場合と、撮影画像データ削除が実行された場合と、撮影データ削除が実行された場合と、完全削除が実行された場合のそれぞれについての撮影データのデータ構造および、管理データベースの内部データを示している。
【０１５４】
撮影が実行された場合は、撮影データとして、ヘッダ、撮影画像データ、撮影画像サムネールデータ、付加情報の全てを保持しており、管理データベースの内部データとしては、ID番号は新規生成されたもの、撮影画像データは１、撮影画像サムネールデータは１、付加情報であるその他のデータは新規生成となっている。
（この管理データベースの内部データ1/0は、データの有/無を示しているものとする）
撮影画像データ削除が実行された場合は、撮影データとして、ヘッダ、撮影画像サムネールデータ、付加情報となっており、管理データベースの内部データとしては、ID番号はそのまま、撮影画像データは０、撮影画像サムネールデータは１、付加情報であるその他のデータはそのままという処理がなされる。
【０１５５】
撮影データ削除が実行された場合は、撮影データとして、ヘッダ、付加または、データなし、となっており、管理データベースの内部データとしては、ID番号はそのまま、撮影画像データは０、撮影画像サムネールデータは０、付加情報であるその他のデータはそのまま、または、データなしという処理がなされる。
【０１５６】
完全削除が実行された場合は、撮影データとして、データなし、管理データベースの内部データとしては、ID番号を含む全ての該当ID番号のデータを削除処理がなされる。
【０１５７】
以上、実施例の共通的効果として、図２１および図２２で説明した処理において、扱われる撮影データのデータ構造は、ヘッダ、撮影画像データ、撮影画像サムネールデータ、付加情報から構成されているが、一般に、各部分のデータ量を比較すると、撮影データの大半は、撮影画像データ、撮影画像サムネールデータであり、かつ、撮影画像データ、撮影画像サムネールデータのデータ量を比較すると、撮影画像データの方が大半である為、図２２および図２３で説明した処理を用いる事で、無線通信端末装置内で、扱う撮影データの枚数を増やせ、効率的なデータ管理が可能となる事を示している。
【０１５８】
これにより、無線通信端末装置１００において、図２の蓄積用メモリ（１１５）の容量の削減または、効率的な利用に効果が期待できる。
【０１５９】
次に、実施例１〜４におけるサーバ装置１０３の動作についてフローチャートを用いて説明する。フローチャートにおいて「Ｓ」は「ステップ」を意味する。
図２３は実施例１〜４におけるサーバ装置１０３でのフローチャートである。
図２３は、サーバ装置１０３において、無線通信端末装置１００の要求により、撮影データのアップロードおよび、ダウンロードを行った場合の処理を示すフローチャートである。当該処理は、サーバ装置１０３中のＣＰＵがサーバ装置１０３の各部を制御することで実現される。
【０１６０】
サーバ装置１０３は起動されると（Ｓ６４３）、無線通信端末装置１００の処理の要求を受信し（Ｓ６４４）、要求の内容により分岐し（Ｓ６４５）、撮影データのアップロードの要求を受け付けた（Ｓ６４６）場合と、撮影データのダウンロードの要求を受け付けた（Ｓ６５２）場合とで、それぞれに対応した処理を実行する。
【０１６１】
撮影データのアップロード要求の場合、無線通信端末装置１００からの撮影データを受信（Ｓ６４７）し、受信した撮影データをストレージに蓄積し（Ｓ６４８）、更に撮影データの解析処理や付加情報の処理を行い（Ｓ６４９）、その処理結果を元にデータベースを参照、データベースへ登録（Ｓ６５０）という処理を行い、その結果の情報を無線通信端末装置１００にダウンロードさせるよう送信処理（Ｓ６５１）を行い、次の処理を受け付ける（Ｓ６４４）よう動作する。
【０１６２】
撮影データのダウンロード要求の場合は、無線通信端末装置１００からの要求に従い、該当する撮影データをストレージから読出し（Ｓ６５３）、その読出した撮影データの情報を無線通信端末装置１００にダウンロードさせるよう送信処理（Ｓ６５４）を行い、次の処理を受け付ける（Ｓ６４４）よう動作する。
【０１６３】
以上、実施例の共通的効果として、サーバ装置１０３のアップロード、ダウンロードの場合の処理について説明したが、これにより、撮影画像データのＩＤ番号に依存せず、アップロード、ダウンロードの処理が独立して行え、サーバ装置１０３でのリソース（ＣＰＵやメモリ）を有効に活用できるようになる。
【符号の説明】
【０１６４】
１００  無線通信端末装置
１０１  アクセスポイント
１０２  ネットワーク
１０３  サーバ装置
１０５  通信用アンテナ
１０６  無線通信ユニット
１０７  レンズ
１０８  撮像素子
１０９  イメージプロセッサ
１１０  キー入力ユニット
１１１  ＲＡＭ
１１２  ＣＰＵ
１１３  プログラムＲＯＭ
１１４  表示ユニット
１１５  蓄積用メモリ
１１６  ＧＰＳユニット
１１７  ＧＰＳ用アンテナ
１１８  ストレージ
１１９  ファイルシステムインターフェース
１２０  撮影データ書込処理部
１２１  撮影データ読出処理部
１２２  ネットワークインターフェース
１２３  ネットワーク
１２４  撮影データ受信
１２５  画像解析付加情報処理
１２６  画像解析データベース付加情報データベース参照更新
１２７  解析結果情報送信
１２８  撮影データ送信
１２９  携帯電話
１３０  中継局
【図１】
2010187247.tif 000003
【図２】
2010187247.tif 000004
【図３】
2010187247.tif 000005
【図４】
2010187247.tif 000006
【図５】
2010187247.tif 000007
【図６】
2010187247.tif 000008
【図７】
2010187247.tif 000009
【図８】
2010187247.tif 000010
【図９】
2010187247.tif 000011
【図１０】
2010187247.tif 000012
【図１１】
2010187247.tif 000013
【図１２】
2010187247.tif 000014
【図１３】
2010187247.tif 000015
【図１４】
2010187247.tif 000016
【図１５】
2010187247.tif 000017
【図１６】
2010187247.tif 000018
【図１７】
2010187247.tif 000019
【図１８】
2010187247.tif 000020
【図１９】
2010187247.tif 000021
【図２０】
2010187247.tif 000022
【図２１】
2010187247.tif 000023
【図２２】
2010187247.tif 000024
【図２３】
2010187247.tif 000025